(57)【要約】【課題】  グローブと標識灯本体との接続が簡易であり容易に行えるとともに、その接続に対する緩みが防止し得る地上型標識灯を提供する。【解決手段】  地上型標識灯１は、光源ユニット２と、段部３５の外周面に形成されたネジ部３６を有する略筒状の灯体３と、一端側４ａが閉塞され、他端側４ｂの内周面に灯体３のネジ部３６に螺合する被ネジ部３７および側面４ｃに設けられた透光窓３４を有し、被ネジ部３７が灯体３のネジ部３６に螺合される略筒状のグローブ４と、灯体３の段部３５に挿入され、グローブ４および灯体３の間に介在する環状のパッキン５と、一端側３９ａに凸部４１を有し、他端側３９ｂが灯体３の一端側３ａ外面に固定され、グローブ４がパッキン５を押圧して灯体３に螺合接続されるときに、凸部４１がグローブ４の他端側４ｂ外面に設けられた係合部３７に弾性付勢して係合する固定板６を具備している。【選択図】図１
2010108837.tif 000002
【特許請求の範囲】
【請求項１】
光源を配設している光源ユニットと；
一端側開口に設けられ前記光源ユニットが取付けられた取付け部、一端側外面に形成された環状の段部およびこの段部の外周面に形成されたネジ部を有し、他端側が地面に固定される略筒状の灯体と；
一端側が閉塞され、他端側の内周面に形成された前記灯体のネジ部に螺合する被ネジ部および一端側と他端側との間の側面に設けられた透光窓を有し、この透光窓から前記光源の放射光が出射するように前記灯体のネジ部に前記被ネジ部が螺合されて前記灯体に取付けられる略筒状のグローブと；
前記灯体の段部に挿入され、前記グローブおよび前記灯体の螺合接続によって前記グローブおよび前記灯体の間に介在する環状のパッキンと；
一端側に凸部を有し、他端側が前記灯体の一端側外面に固定され、前記グローブが前記パッキンを押圧して前記灯体に螺合接続されるときに、前記凸部が前記グローブの他端側外面に設けられた係合部に弾性付勢して係合する固定板と；
を具備していることを特徴とする地上型標識灯。
【発明の詳細な説明】
【技術分野】
【０００１】
本発明は、光源からの放射光を所定の方向に出射する地上型標識灯に関する。
【背景技術】
【０００２】
誘導路用標識灯のような地上型航空標識灯は、光源からの放射光を所定の方向に照射するために、現場で投光角度の調整や配光特性に関わる光学系の調整が行われている。また、定期的にメンテナンスや光源の交換作業が行われている。この調整作業、メンテナンスや光源の交換作業は、グローブまたは保護カバーを標識灯本体または灯体から取り外し、取り付けている。そして、当該作業の高効率化や短縮化が望まれている。
【０００３】
そして、当該取り外し、取り付けの作業を簡単かつ迅速に行える航空標識灯が提案されている(特許文献１参照。)。この従来技術の航空標識灯は、灯体（グローブ）と支持体（本体）との固着を灯体のネジ部と支持体の被ネジ部の螺合接続に加えて、一次側トランスと二次側トランスとの磁気結合によっても実現している。これにより、航空標識灯を組み立てる際には、螺合接続だけで組み立てることができ、光源部に電力が供給されている際には、一次側トランスと二次側トランスとの磁気結合作用により、不用意にネジ部と被ネジ部との螺合が解除されなく、作業性の向上に加えて固着の信頼性が向上するというものである。
【特許文献１】特開２００６−２８６３７９号公報（第６頁、第１図）
【発明の開示】
【発明が解決しようとする課題】
【０００４】
特許文献１の航空標識灯は、一次側トランスと二次側トランスを備えるとともに、一次側トランスを本体に、二次側トランスを灯体に配設して、本体および灯体を分離可能に形成するので、灯体や支持体の取り外し、取り付け作業が容易ではなく、また、構成が複雑であり、コストアップするという欠点を有する。
【０００５】
そして、一次側トランスと二次側トランスとの磁気結合を設けず、ネジ部と被ネジ部の螺合接続のみに取付け強度を依存すると、灯体と支持体との螺合接続に航空機による振動、ジェットブラストや強風による衝撃などにより緩みが発生することがある。
本発明は、グローブと標識灯本体との接続が簡易であり容易に行えるとともに、その接続に対する緩みが防止し得る地上型標識灯を提供することを目的とする。
【課題を解決するための手段】
【０００６】
請求項１に記載の地上型標識灯の発明は、光源を配設している光源ユニットと；一端側開口に設けられ前記光源ユニットが取付けられた取付け部、一端側外面に形成された環状の段部およびこの段部の外周面に形成されたネジ部を有し、他端側が地面に固定される略筒状の灯体と；一端側が閉塞され、他端側の内周面に形成された前記灯体のネジ部に螺合する被ネジ部および一端側と他端側との間の側面に設けられた透光窓を有し、この透光窓から前記光源の放射光が出射するように前記灯体のネジ部に前記被ネジ部が螺合されて前記灯体に取付けられる略筒状のグローブと；前記灯体の段部に挿入され、前記グローブおよび前記灯体の螺合接続によって前記グローブおよび前記灯体の間に介在する環状のパッキンと；一端側に凸部を有し、他端側が前記灯体の一端側外面に固定され、前記グローブが前記パッキンを押圧して前記灯体に螺合接続されるときに、前記凸部が前記グローブの他端側外面に設けられた係合部に弾性付勢して係合する固定板と；を具備していることを特徴とする。
本発明において、特に言及しない限り、各構成は以下による。
ネジ部および被ネジ部は、それぞれ連続する一連に形成される他、互いに螺合接続すれば一方が断続的に形成されていてもよい。
【０００７】
「灯体の他端側が地面に固定される」とは、直接地面に固定される他、地面に固定されている他の被固定体に固定して間接的に地面に固定されることを意味する。
係合部は、凸部を係合すればよく、例えば、孔のない凹み部や凸部を嵌め込む１個又は複数個の突部である。
【０００８】
本発明によれば、灯体のネジ部にグローブの被ネジ部が螺合されるので、灯体およびグローブの接続が容易に行えるとともに、灯体に固定された固定板の凸部がグローブに設けられた係合部に弾性付勢して係合することにより、振動や強風の衝撃などにより、灯体およびグローブの螺合接続が緩むことが防止される。そして、灯体の一端側開口に設けられた取付け部に光源ユニットが取り付けられているので、グローブを取り外すのみで光源の調整作業や光源の交換作業が行える。また、グローブは、透光窓を有する略筒状の簡易な構成であり、容易に灯体に取り付けられ、灯体から取り外される。
【発明の効果】
【０００９】
請求項１の発明によれば、透光窓を有するグローブが灯体に螺合接続されて、グローブおよび灯体の接続が簡易であり容易に行えるので、グローブおよび灯体の取り付け、取り外しの作業時間を短縮することができて省力化を図ることができるとともに、固定板により振動や強風の衝撃などから灯体およびグローブの螺合接続の緩みが防止されるので、グローブおよび灯体の接続に対する信頼性を向上させることができる。
【発明を実施するための最良の形態】
【００１０】
以下、本発明の一実施の形態について、図面を参照して説明する。まず、本発明の第１の実施形態について説明する。
【００１１】
図１ないし図４は、本発明の第１の実施形態を示し、図１は地上型標識灯の概略側断面図、図２は図１のＡ部分の拡大図、図３は固定板であり、（ａ）は概略側面図、（ｂ）は概略正面図、図４は地上型標識灯のグローブを取り外した状態の概略上面図である。
【００１２】
図１において、地上型標識灯１は、地上型航空標識灯であり、光源ユニット２、灯体３、グローブ４、パッキン５および固定板６を有して構成されている。灯体３は、標識灯本体を構成している。
【００１３】
地上型標識灯１は、灯体３が被固定体としての可折接手７に固定され、光源ユニット２から放射された光を灯体３の所定方向を出射するものである。そして、グローブ４を取り外して、光源ユニット２で光源８の出射方向に対する微調整が行えるものである。
【００１４】
光源ユニット２は、図４に示すように、光源８を配設している。光源８は、長方形状の基体９に実装された図示しない発光ダイオードおよび円筒状の樹脂からなる包囲体１０を有して形成されている。光源８は、地上型標識灯１の設置場所に応じて、赤色、緑色、青色などの所定の色光を放射するように形成されている。
【００１５】
また、光源ユニット２は、基板１１、固定部材１２、基台１３および蝶ネジ１４などを有して形成されている。基板１１は、光源８を実装している基体９を配設している。固定部材１２は、基板１１に図示しないねじにより固定され、先端部には、蝶ネジ１４が挿通される図示しない孔が形成されている。
【００１６】
基台１３は、略円盤状に形成されて、回転中心１５に対する円周上に所定長の長孔１６，１６が形成されている。また、基台１３は、回転軸１７を有する支持部材１８をねじ１９により取り付けている。回転軸１７には、基板１１に固定されている回転部材２０が取り付けられている。回転部材２０は、光源８の放射光が基台１３の周方向側に出射されるように、すなわち回転軸１７に対して周方向に出射されるように、基板１１を回転軸１７に取り付けている。これにより、光源８は、回転軸１７回りに回転する。また、基台１３には、図２に示すように、回転軸１７の回転角度を表示するメモリ板２１が取り付けられている。
【００１７】
蝶ネジ１４は、ばね２２を介して柱体２３にねじ止めされている。そして、柱体２３へのねじ込み、緩めにより、固定部材１２を介して光源８の水平面に対する仰角を変化させるものである。すなわち、光源８の放射光に対して、蝶ネジ１４によって仰角の出射方向の調整が行える。
【００１８】
光源ユニット２は、上述したように形成されて、灯体３の一端側開口３ｃに配設されている。灯体３は、例えばアルミニウム(Ａｌ)からなり、一端側３ａの内側に、内方に突出する突出部２４を略円筒状に形成している。この突出部２４には、略円盤状の土台２５がねじ２６により固定されている。
【００１９】
土台２５は、灯体３の内部に収容するようにして例えばアルミニウム(Ａｌ)からなる収容箱２７を鋳造により一体に取り付けているとともに、灯体３の外方側に光源ユニット２をねじ２８，２８により固定している（図４に示す。）。すなわち、土台２５には、取付け部としてのねじ孔２９，２９が形成されている。そして、土台２５は、図４に示すように、光源ユニット２の基台１３が載置された後、ねじ２８，２８が灯体３の外方側から基台１３の長孔１６，１６を介してねじ孔２９，２９に螺着されることにより、基台１３を固定している。このとき、灯体３の中心軸に基台１３の回転中心１５が位置するようにして取り付けている。
【００２０】
基台１３の長孔１６，１６は、回転中心１５に対する円周上に所定長形成されているので、土台２５のねじ孔２９，２９に対向させる位置を可変することができる。これにより、基台１３は、長孔１６の形成範囲内で回転中心１５回りに回動する。すなわち、光源８の放射光に対して、灯体３の周方向回りに対する出射方向の調整が基台１３の長孔１６の形成範囲内で行える。
【００２１】
そして、図１に示すように、土台２５に取り付けられた収納箱２７には、カレントトランスＴ１および点灯ユニット３０が収納されている。点灯ユニット３０は、カレントトランスＴ１以外の光源８を点灯する回路部品を有して形成されている。
【００２２】
そして、灯体３は、その他端側３ｂにおいて、一部が他端側３ｂの内部に挿入された略円筒状の可折接手７にねじ３１，３１により取り付けられている。灯体３の他端側３ｂの内部に挿入された可折接手７の部分は、収納箱２７の一部を包囲している。可折接手７は、例えばアルミニウム(Ａｌ)からなっている。そして、可折接手７の一端部７ａからは、点灯ユニット２７に接続されているコネクタ３２付きの電源コード３３が導出されている。可折接手７は、図示しない固定部材を介して地面に固定されている。
【００２３】
灯体３は、ねじ３１，３１を緩めることにより、可折接手７の回りに回動させることができ、また、可折接手７から取り外すことができる。そして、ねじ３１，３１を可折接手７に押し付けることにより、灯体３の他端側３ｂが可折接手７に固定される。
【００２４】
そして、電源コード３３を介して交流定電流電源から電流が点灯ユニット２７に供給されることにより、光源８である発光ダイオードが点灯する。光源８から放射された光は、グローブ４の透光窓３４を透過して、灯体３の外方に出射される。
また、灯体３は、その一端側３ａの外面に環状の段部３５が形成されている。段部３５の外周面には、周回方向に亘るネジ部３６が形成されている。
【００２５】
グローブ４は、図示しない遮蔽物例えばアルミニウム（Ａｌ）で覆われた例えばポリカーボネート（ＰＣ）樹脂からなり、図２に示すように、一端側４ａが閉塞された略円筒状に形成されている。そして、他端側４ｂの内周面には、灯体３のネジ部３６に螺合する被ネジ部３７が形成されている。側面４ｃには、図示しない遮蔽物が開口されて透光窓３４が形成されている。この透光窓３４は、グローブ４の被ネジ部３７が灯体３のネジ部３６に完全に螺合されたときに、光源８からの放射光が出射する位置に設けられている。
【００２６】
また、グローブ４は、透光窓３４が設けられている反対側の側面４ｃの外面に係合部としての凹み部３８が形成されている。グローブ４は、その被ネジ部３７が灯体３のネジ部３６に螺合されると、光源ユニット２を内包し、灯体３の一端側開口３ｃを覆うものである。
【００２７】
パッキン５は、例えばシリコーン樹脂からなり、環状に形成されている。そして、灯体３の段部３５に挿入され、グローブ４の被ネジ部３７を灯体３のネジ部３６に螺合するときに押圧され、グローブ４および灯体３の間に介在して、ネジ部３６および被ネジ部３７の部分より水分が侵入しないようにしている。
【００２８】
そして、パッキン５は、その肉厚が適宜設定されることにより、グローブ４および灯体３の螺合接続において、グローブ４の透光窓３４と光源ユニット２の光源８とが対向し、光源８からの放射光が透光窓３４から出射できるようにしている。
【００２９】
固定板６は、図３に示すように、それぞれ灯体３およびグローブ４の外周面に沿う湾曲を有する略長方形の押さえ板３９および取付板４０からなっている。そして、押さえ板３９は、その一端側３９ａの背面に凸部４１が設けられ、取付板４０と直角となるようにして他端側３９ｂの背面が取付板４０に溶接されている。
【００３０】
また、押さえ板３９は、その一端側３９ａが凸部４１の突出方向に若干傾斜され、凸部４１に当該突出方向の反対方向の作用力が加わり、その作用力が解除すると、当初の位置に弾性復帰するように形成されている。凸部４１は、グローブ４の凹み部３８に係合可能な大きさに形成され、リベットの頭部を利用している。取付板４０の押さえ板３９を挟む両側には、取付け孔４２，４２が設けられている。
【００３１】
そして、取付板４０は、図２に示すように、取付け孔４２，４２に挿通されたねじ４３，４３により、灯体３の一端側３ａの外面に固定されている。そして、押さえ板３９の一端側３９ａに設けられた凸部４１は、グローブ４および灯体３が螺合接続しているときに、グローブ４の凹み部３８に係合している。
【００３２】
グローブ４の被ネジ部３７が灯体３のネジ部３６に螺合されているときに、凸部４１は、グローブ４の他端側４ｂの外面に当接し、押さえ板３９の一端側３９ａは、凸部４１の突出方向と反対方向に弾性変形する。そして、凸部４１は、グローブ４がパッキン５を押圧して灯体３に螺合されたときにグローブ４の凹み部３８に嵌め込まれ、押さえ板３９の一端側３９ａが弾性付勢される。この弾性付勢力により、凸部４１は、凹み部３８に係合する。
次に、本発明の第１の実施形態の作用について述べる。
【００３３】
地上型標識灯１は、灯体３の他端側３ｂが被固定体としての可折接手７に挿入される。この状態で、光源８の放射光を出射して照明する出射方向側に灯体３を回転させ、ねじ３１，３１により灯体３の他端側３ｂを可折接手７に固定する。これにより、地上型標識灯１は、可折接手７に取り付けられる。
【００３４】
そして、例えば、光源８の放射光に対する出射方向の調整(微調整)を行うには、まず、グローブ４を灯体３の一端側３ａから取り外す。すなわち、グローブ４の透光窓３４を除く側面４ｃを手で掴み、灯体３への螺合方向と反対方向に強く回動力を加える。この回動力によって、固定板６の凸部４１がグローブ４の凹み部３８から灯体３の外面に乗り上がり、固定板６の押さえ板３９が凸部４１の突出方向と反対方向に弾性変形する。凸部４１は、グローブ４の回動時、グローブ４の外面に当接する。そして、グローブ４の被ネジ部３７と灯体３のネジ部３６が螺合しなくなると、グローブ４が灯体３から外れるとともに、固定板６の押さえ板３９が弾性復帰する。
【００３５】
そして、灯体３の周方向回りに対する光源８の出射方向の調整を行うには、図４において、ねじ２８，２８を緩める。これにより、基台１３(光源ユニット２)を長孔１６，１６の形成範囲内で回動させることができる。そして、光源８を点灯させた後、光源８の放射光の出射方向を目視しながら、放射光が所望の出射方向となるように基台１３を回動させる。その所望の出射方向となった回動位置で、ねじ２８，２８を取付け部としての土台２５のねじ孔２９，２９に完全にねじ込む。このように、ねじ２８，２８の緩め、ねじ込みと、基台１３の回動とによって、光源８の放射光に対して、灯体３の周方向回りに対する調整が行える。
【００３６】
そして、水平方向に対する仰角の出射方向の調整を行うには、図２において、光源８の放射光の出射方向を目視しながら、蝶ネジ１４を柱体２３にねじ込み、または、柱体２３から緩める。光源８が支持部材１８の回転軸１７回りに回転して放射光の出射方向が変化するので、所望の出射方向となったときに、蝶ネジ１４のねじ込みまたは緩めを停止する。これにより、光源８の放射光に対する出射方向が所望に固定される。蝶ネジ１４のねじ込み、緩めは、工具を用いずに手動で行えるので、水平方向に対する仰角の出射方向の調整作業を容易かつ迅速に行うことができる。
【００３７】
そして、前記調整作業の終了後、光源８が消灯され、グローブ４を灯体３の一端側３ａに取り付ける。なお、光源ユニット２（光源９）の交換は、図４において、ねじ２８，２８を取り外し、交換品（新品）を土台２５に載置後、ねじ２８，２８を取り付けることにより行える。
【００３８】
グローブ４を灯体３の一端側３ａに取付けるには、グローブ４の側面４ｃを手で掴み、グローブ４の被ネジ部３７を灯体３のネジ部３６に螺合させるとともに、グローブ４の他端側４ｂの外面に固定板６の凸部４１を当接させる。そして、グローブ４を灯体３への螺合方向に回動させる。グローブ４の回動時、固定板６は、押さえ板３９が凸部４１の突出方向と反対方向に弾性変形し、凸部４１がグローブ４の外面に当接する。
【００３９】
そして、グローブ４の他端側４ｂの端面がパッキン５に当接する。この後、パッキン５を押圧するようにグローブ４を回動させると、固定板６の凸部４１がグローブ４の凹み部３８に嵌め込まれ、押さえ板３９が弾性復帰する。これにより、凸部４１が凹み部３８に係合し、固定板６がグローブ４を灯体３に固定する。
【００４０】
上述したように、グローブ４は、透光窓３４を有する略筒状に形成されているので、簡易な構成であり、灯体３への螺合接続が容易にできる。また、グローブ４および灯体３の接続は、グローブ４および灯体３の螺合により行われるので、グローブ４と灯体３との取り付け、取り外しの作業時間を短縮することができて、省力化を図ることができる。そして、固定板６は、その凸部４１がグローブ４の凹み部３８に係合することによりグローブ４を灯体３に固定するので、航空機などの振動や、ジェットバラストや強風の衝撃などが地上型標識灯１に加わっても、グローブ４および灯体３の螺合接続の緩みを防止するので、グローブ４および灯体３の接続に対する信頼性を向上させることができる。
【００４１】
また、グローブ４および灯体３の接続は、パッキン５の肉厚の設定により、パッキン５を押圧して完全に螺合して接続されるので、グローブ４および灯体３を緩み（ガタ）なく螺合接続することができるとともに、光源ユニット２が収納されているグローブ４内を液密にすることができる。
【００４２】
なお、グローブ４は、非透光性部材例えばアルミニウム（Ａｌ）で形成され、かつ側面４ｃに開口部を形成して、この開口部に透光性部材例えばポリカーボネート（ＰＣ）樹脂からなる透光窓３４を液密に設けてもよい。
次に、本発明の第２の実施形態について説明する。
【００４３】
図５は、本発明の第２の実施形態を示す固定板であり、（ａ）は概略側面図、（ｂ）は概略下面図、図６は、同じく固定板が係合された状態を示す説明図である。なお、図１および図３と同一部分には、同一符号を付して説明は省略する。
【００４４】
図５に示す固定板４４は、図３に示す固定板６において、押さえ板３９に代えて押さえ板４５に形成したものである。押さえ板４５は、一端側４５ａを他端側４５ｂ（取付板４０）に対して傾斜させなく、両端側４５ａ，４５ｂを同一面状に形成したものである。しかし、一端側４５ａは、凸部４１の突出方向と反対方向に押圧されると弾性変形し、その押圧が解除されると当初の位置に弾性復帰するものである。
【００４５】
また、図６に示すように、グローブ４は、凹み部３８に代えて、係合部としての２個の突部４６，４６が並設されている。この並設された突部４６，４６間に固定板４４の凸部４１が係合するものである。
【００４６】
固定板４４は、図２において説明したように、その取付板４０がねじ４３により灯体３の一端端３ａに固定される。そして、グローブ４を灯体３に螺合接続したときに、図６に示すように、固定板４４の凸部４１がグローブ４に設けられた突部４６，４６間に係合する。
【００４７】
固定板４４の凸部４１は、グローブ４が灯体３に螺合されているときに、グローブ４の他端側４ｂの外面に当接し、押さえ板４５の一端側４５ａを凸部４１の突出方向と反対方向に弾性変形させる。そして、グローブ４がパッキン５に当接し、さらに灯体３に螺合されてパッキン５が押圧されるときに、凸部４１は、グローブ４の一方の突部４６を乗り越えて、突部４６，４６間に嵌め込まれて係合する。グローブ４は、弾性変形している押さえ板４５の弾性復帰力（弾性付勢力）により、固定板４４を介して灯体３に固定されるものである。また、グローブ４は、突部４６，４６により、その螺合方向および螺合解除方向への移動（緩み）が規制されるものである。
【００４８】
そして、グローブ４が灯体３から取り外されるときには、グローブ４の取り外しの回動力により、固定板４４の凸部４１は、グローブ４の一方の突部４６を乗り越えて、他端側４ｂの外面に当接する。これにより、凸部４１は、突部４６，４６間の係合が解除される。そして、グローブ４の被ネジ部３７と灯体３のネジ部３６が螺合しなくなると、グローブ４が灯体３から外れるとともに、固定板４４の押さえ板４５が弾性復帰する。以下、図１に示す地上型標識灯１において説明した作用、効果を有する。
【００４９】
なお、係合部として２個の突部４６，４６を設けたが、これに限らず、固定板４４の凸部４１を嵌め込み、係合する３個以上の突部４６であってもよく、また、凹みを有する１個の突部であってもよい。
【図面の簡単な説明】
【００５０】
【図１】本発明の第１の実施の形態を示す地上型標識灯の概略側断面図。
【図２】同じく、図１のＡ部分の拡大図。
【図３】同じく、固定板であり、（ａ）は概略側面図、（ｂ）は概略下面図。
【図４】同じく、地上型標識灯のグローブを取り外した状態の概略上面図。
【図５】本発明の第２の実施形態を示す固定板であり、（ａ）は概略側面図、（ｂ）は概略下面図。
【図６】同じく、固定板が係合された状態を示す説明図。
【符号の説明】
【００５１】
１…地上型標識灯
２…光源ユニット
３…灯体
４…グローブ
５…パッキン
６，４４…固定板
８…光源
２９…取付け部としてのねじ孔
３４…透光窓
３５…段部
３６…ネジ部
３７…被ネジ部
３８…係合部としての凹み部
４１…固定板の凸部
４６，４６…係合部としての突部
【図１】
2010108837.tif 000003
【図２】
2010108837.tif 000004
【図３】
2010108837.tif 000005
【図４】
2010108837.tif 000006
【図５】
2010108837.tif 000007
【図６】
2010108837.tif 000008